(57)【要約】【課題】子局の数にかかわらず適切な設定動作を行うことができるが変動した場合でも適応することができる遠隔管理システムおよび無線装置および遠隔管理システムの制御方法を提供すること目的とする。【解決手段】データ通信装置に有線接続または内蔵される無線親局と被遠隔管理装置に有線接続または内蔵される無線子局を備え、無線親局は被遠隔管理装置に設定される識別番号をもとに、無線子局を介して被遠隔管理装置へ順次接続を試み、無線子局は、初期設定モードと、初期設定モード中に、無線親局からの無線接続要求があり、かつ、無線接続要求に含まれる被遠隔管理装置の識別番号が、無線子局に接続されている被遠隔管理装置の識別番号に等しいとき、当該無線接続要求に含まれるＩＤ情報を無線接続用ＩＤとして保存する。【選択図】        図１
2006217132.tif 000002
【特許請求の範囲】
【請求項１】
１台または複数の被遠隔管理装置と、この被遠隔管理装置と無線通信回線を介してデータ通信するデータ通信装置と、このデータ通信装置と公衆回線を介して接続された中央制御装置とを備えた遠隔管理システムにおいて、
前記データ通信装置に有線接続または内蔵される無線親局と前記被遠隔管理装置に有線接続または内蔵される無線子局を備え、
前記無線親局は前記被遠隔管理装置に設定される識別番号をもとに、前記無線子局を介して前記被遠隔管理装置へ順次接続を試み、
前記無線子局は、初期設定モードと、初期設定モード中に、前記無線親局からの無線接続要求があり、かつ、無線接続要求に含まれる前記被遠隔管理装置の識別番号が、前記無線子局に接続されている前記被遠隔管理装置の識別番号に等しいとき、当該無線接続要求に含まれるＩＤ情報を無線接続用ＩＤとして保存することを特徴とする遠隔管理システム。
【請求項２】
１台または複数の被遠隔管理装置と、この被遠隔管理装置と無線通信回線を介してデータ通信するデータ通信装置と、このデータ通信装置と公衆回線を介して接続された中央制御装置とを備えた遠隔管理システムの無線装置において、
前記データ通信装置に有線接続または内蔵される無線親局と前記被遠隔管理装置に有線接続または内蔵される無線子局からなり、
前記無線親局は前記被遠隔管理装置に設定される識別番号をもとに、前記無線子局を介して前記被遠隔管理装置へ順次接続を試み、
前記無線子局は、初期設定モードと、初期設定モード中に、前記無線親局からの無線接続要求があり、かつ、無線接続要求に含まれる前記被遠隔管理装置の識別番号が、前記無線子局に接続されている前記被遠隔管理装置の識別番号に等しいとき、当該無線接続要求に含まれるＩＤ情報を無線接続用ＩＤとして保存することを特徴とする無線装置。
【請求項３】
１台または複数の被遠隔管理装置と、この被遠隔管理装置と無線通信回線を介してデータ通信するデータ通信装置と、このデータ通信装置と公衆回線を介して接続された中央制御装置とを備えた遠隔管理システムの制御方法において、
前記データ通信装置に有線接続または内蔵される無線親局と前記被遠隔管理装置に有線接続または内蔵される無線子局を備え、
前記無線親局は前記被遠隔管理装置に設定される識別番号をもとに、前記無線子局を介して前記被遠隔管理装置へ順次接続を試み、
前記無線子局は、初期設定モードと、初期設定モード中に、前記無線親局からの無線接続要求があり、かつ、無線接続要求に含まれる前記被遠隔管理装置の識別番号が、前記無線子局に接続されている前記被遠隔管理装置の識別番号に等しいとき、当該無線接続要求に含まれるＩＤ情報を無線接続用ＩＤとして保存することを特徴とする遠隔管理システムの制御方法。
【発明の詳細な説明】
【技術分野】
【０００１】
本発明は、１台または複数の被遠隔管理装置と、この被遠隔管理装置と無線通信回線を介してデータ通信するデータ通信装置と、このデータ通信装置と公衆回線を介して接続された中央制御装置とを備えた遠隔管理システム、および、当該遠隔管理システムに適用される無線装置、および、当該遠隔管理システムの制御方法に関する。
【背景技術】
【０００２】
従来、特定小電力無線等の無線装置では、異なる無線システム間で直接的な通信がなされないようにそれぞれの無線システム固有のＩＤを設定し、無線システムをグループ分けしている。
【０００３】
例えば、コードレスホンでは、同一メーカーのコードレスホンが隣接して設置されても、一方のコードレスホンの子機が、隣接するもう一方のコードレスホンの親機と接続しないようにそれぞれが異なるＩＤを所有するようにしている。
【０００４】
そのために、これらの無線装置では、同一のＩＤを設定してある親機と子機をセットで販売するのが一般的である（特許文献１，２参照）。
【０００５】
ところで、複写装置等の遠隔管理システムでは、中央制御装置と電話回線で接続され、複数の被遠隔管理装置との通信を制御するデータ通信装置と、被遠隔管理装置との間をコードレス化する要求が多くなっている。これは、データ通信装置と複写装置の間を有線接続する場合、長距離にわたって通信線を施設しなければならなかったり、複写装置の位置の変更の度に、通信線の施設を張り替えなければならなかったりして、労力とコストがかかることや、通信線に足を引っかけて切断してしまい、遠隔管理機能に支障をきたしてしまったりすることが多いこと等による。
【特許文献１】特開平１０−２６２２７８号公報
【特許文献２】特開平１１−２７７６０号公報
【発明の開示】
【発明が解決しようとする課題】
【０００６】
しかしながら、このような遠隔管理システムにおいて、データ通信装置に無線親局を、被遠隔管理装置に無線子局を接続する場合、親局に対する子局の数は一定でなく、１：１の場合があったり、１：５の場合があったりする。また、ユーザーの都合で被遠隔管理装置が追加されることによって子局が追加されることも少なくない。よって、この場合、親局と子局をセットで販売することは難しい。したがってこのようなシステムにおいては、親局または子局を設置する際に、それぞれが共通のＩＤになるように設定できることが望ましい。
【０００７】
これに対処する手段としては、製造時にあらかじめ親局に固有のＩＤを設定しておき、子局の設置の際に親局のＩＤを読みとって、子局に登録する方法が考えられるが、そのためのツールを用意しなければならなかった。
【０００８】
本発明は、かかる実情に鑑みてなされたものであり、子局の数にかかわらず適切な設定動作を行うことができるが変動した場合でも適応することができる遠隔管理システムおよび無線装置および遠隔管理システムの制御方法を提供すること目的とする。
【課題を解決するための手段】
【０００９】
本発明は、１台または複数の被遠隔管理装置と、この被遠隔管理装置と無線通信回線を介してデータ通信するデータ通信装置と、このデータ通信装置と公衆回線を介して接続された中央制御装置とを備えた遠隔管理システムにおいて、前記データ通信装置に有線接続または内蔵される無線親局と前記被遠隔管理装置に有線接続または内蔵される無線子局を備え、前記無線親局は前記被遠隔管理装置に設定される識別番号をもとに、前記無線子局を介して前記被遠隔管理装置へ順次接続を試み、前記無線子局は、初期設定モードと、初期設定モード中に、前記無線親局からの無線接続要求があり、かつ、無線接続要求に含まれる前記被遠隔管理装置の識別番号が、前記無線子局に接続されている前記被遠隔管理装置の識別番号に等しいとき、当該無線接続要求に含まれるＩＤ情報を無線接続用ＩＤとして保存するようにしたものである。
【００１０】
また、１台または複数の被遠隔管理装置と、この被遠隔管理装置と無線通信回線を介してデータ通信するデータ通信装置と、このデータ通信装置と公衆回線を介して接続された中央制御装置とを備えた遠隔管理システムの無線装置において、前記データ通信装置に有線接続または内蔵される無線親局と前記被遠隔管理装置に有線接続または内蔵される無線子局からなり、前記無線親局は前記被遠隔管理装置に設定される識別番号をもとに、前記無線子局を介して前記被遠隔管理装置へ順次接続を試み、前記無線子局は、初期設定モードと、初期設定モード中に、前記無線親局からの無線接続要求があり、かつ、無線接続要求に含まれる前記被遠隔管理装置の識別番号が、前記無線子局に接続されている前記被遠隔管理装置の識別番号に等しいとき、当該無線接続要求に含まれるＩＤ情報を無線接続用ＩＤとして保存するようにしたものである。
【００１１】
また、１台または複数の被遠隔管理装置と、この被遠隔管理装置と無線通信回線を介してデータ通信するデータ通信装置と、このデータ通信装置と公衆回線を介して接続された中央制御装置とを備えた遠隔管理システムの制御方法において、前記データ通信装置に有線接続または内蔵される無線親局と前記被遠隔管理装置に有線接続または内蔵される無線子局を備え、前記無線親局は前記被遠隔管理装置に設定される識別番号をもとに、前記無線子局を介して前記被遠隔管理装置へ順次接続を試み、前記無線子局は、初期設定モードと、初期設定モード中に、前記無線親局からの無線接続要求があり、かつ、無線接続要求に含まれる前記被遠隔管理装置の識別番号が、前記無線子局に接続されている前記被遠隔管理装置の識別番号に等しいとき、当該無線接続要求に含まれるＩＤ情報を無線接続用ＩＤとして保存するようにしたものである。
【発明の効果】
【００１２】
したがって、本発明によれば、特別なツール等を用いないで設置の際に無線接続ＩＤを無線子局に設定できるという効果を得る。
【発明を実施するための最良の形態】
【００１３】
以下、添付図面を参照しながら、本発明の実施の形態を詳細に説明する。
【００１４】
図１は、本発明の一実施例にかかる遠隔管理システムの一例を示している。
【００１５】
同図において、複写機ＣＰは、無線子機ＫＭに接続され、無線子機ＫＭを介し、無線親機ＰＭが接続されているデータ通信装置ＣＭに対して、所定の情報をやりとりする。また、データ通信装置ＣＭは、複写機ＣＰとの間でやりとりする各種の情報を、公衆回線網ＰＳＴＮを介して、中央制御装置ＳＭへ送信する。
【００１６】
中央制御装置ＳＭは、データ通信装置ＣＭより受信した情報を、適宜に管理する。
【００１７】
そして、中央制御装置ＳＭからの指令は、公衆回線網ＰＳＴＮ、データ通信装置ＣＭ、無線親局ＰＭ、および、無線子局ＫＭを介して複写装置ＣＰへ転送される。
【００１８】
また、複写装置ＣＰからの各種通報は、無線子局ＫＭ、無線親局ＰＭ、データ通信装置ＣＭ、および、公衆回線網ＰＳＴＮを介して、中央制御装置ＳＭへ転送される。
【００１９】
また、データ通信装置ＣＭは、２４時間通電を行っていて、通常、複写装置ＣＰの電源がオフされている夜間でも中央制御装置ＳＭとの通信を可能にしている。また、データ通信装置ＣＭは、公衆回線網ＰＳＴＮを経由して中央制御装置ＳＭからの指令の送受信を実行したり、複写装置ＣＰからの各種通報により、中央制御装置ＳＭへ発呼を行ったり、公衆回線網ＰＳＴＮを複写装置ＣＰ側に接続するか、一般電話機側（図示略）に接続するかの切り替え制御を行ったりする機能がある。
【００２０】
ここで示した遠隔管理システムは、複写機ＣＰと無線子機ＫＭからなる無線子局が１つで、データ通信装置ＣＭと無線親機ＰＭからなる無線親局が１つ設けられている、いわゆる１：１の接続形態であるが、本発明は、図２に示すように、無線子局が複数（この場合は、５個）で、無線親局が１つ設けられるＮ（５）：１の接続形態の場合、および、図３に示すように、１：１の接続形態のものに、１つの無線子局を増設する場合などにも適用することができる。
【００２１】
図４は、無線親機ＰＭの構成例を示している。
【００２２】
同図において、無線親局ＰＭは、制御部１、シリアル通信ユニット２、不揮発性メモリ装置３、スイッチ部４、ＬＥＤ（発光ダイオード）表示部５、送信ユニット６、アンテナ７、および、受信ユニット８から構成されている。
【００２３】
送信ユニット６は、制御部１より入力される送信データを無線信号に変換してアンテナ７へ出力する。つまり、所定の周波数の信号を制御部１より入力される送信データにより変調し、無線信号としてアンテナ７へ出力する。
【００２４】
受信ユニット８は、アンテナ７より入力される無線信号を受信データ（所定の制御データ）に変換して制御部１へ出力する。つまり、アンテナ７より入力される無線信号の所定の周波数帯について復調し、受信データとして制御部１へ出力する。また、所定の周波数の強度を制御部１へ提供する。
【００２５】
制御部１は、例えば、ＣＰＵ、ＲＯＭ、ＲＡＭ等で構成され、送信ユニット６、受信ユニット８、シリアル通信ユニット２、および、ＬＥＤ表示部５の制御を行う。
【００２６】
シリアル通信ユニット２は、データ通信装置ＣＭへ接続し、データ通信装置ＣＭとの間で種々のデータをやりとりするためのものであり、例えば、ＥＩＡ規格のＲＳ４８５に準拠した通信機能を備えており、データ通信装置ＣＭとのシリアル通信インタフェース機能、および、ＲＳ−４８５の制御を行う。
【００２７】
ＬＥＤ表示部５は無線親局ＰＭの動作モード、および無線子局ＫＭからの接続確認用信号の受信状態の表示に使用する。
【００２８】
スイッチ部４は、動作モードの設定などに使用するスイッチにより構成される。
【００２９】
不揮発性メモリ装置３は、無線装置の呼出名称、メーカーコードなど、無線通信に必要な情報を記憶する。ここで、呼出名称とは、個々の無線局に固有に与えられる数字によるコードであり、製造時に書き込まれる。本実施例では、これを無線接続用ＩＤとして使用する。メーカーコードは、製造メーカー等を識別するためのコードであり、製造時などに書き込まれる。
【００３０】
なお、無線親局ＰＭの機能をデータ通信装置ＣＭに内蔵して、無線親局ＰＭの制御部１の機能をデータ通信装置ＣＭの制御部（図示略）で、無線親局ＰＭのＬＥＤ表示部５の機能をデータ通信装置ＣＭの表示部（図示略）で、無線親局ＰＭの不揮発性メモリ装置３の機能をデータ通信装置ＣＭの不揮発性メモリ（図示略）でまかなうことも可能である。
【００３１】
図５は、無線子機ＫＭの構成例を示している。
【００３２】
同図において、無線子機ＫＭは、制御部１１、シリアル通信ユニット１２、不揮発性メモリ装置１３、スイッチ部１４、ＬＥＤ表示部１５、送信ユニット１６、アンテナ１７、および、受信ユニット１８から構成されている。
【００３３】
送信ユニット１６は、制御部１１より入力される送信データを無線信号に変換してアンテナ１７へ出力する。つまり、所定の周波数の信号を制御部１１より入力される送信データにより変調し、無線信号としてアンテナ１７へ出力する。
【００３４】
受信ユニット１８は、アンテナ１７より入力される無線信号を受信データ（所定の制御データ）に変換して制御部１１へ出力する。つまり、アンテナ１７より入力される無線信号の所定の周波数帯について復調し、受信データとして制御部１１へ出力する。また、所定の周波数の強度を制御部１１へ提供する。
【００３５】
制御部１１は、例えば、ＣＰＵ、ＲＯＭ、ＲＡＭ等で構成され、送信ユニット１６、受信ユニット１８、シリアル通信ユニット１２、および、ＬＥＤ表示部１５の制御を行う。
【００３６】
シリアル通信ユニット１２は、複写機ＣＰへ接続し、複写機ＣＰとの間で種々のデータをやりとりするためのものであり、例えば、ＥＩＡ規格のＲＳ４８５に準拠した通信機能を備えており、複写機ＣＰとのシリアル通信インタフェース機能、および、ＲＳ−４８５の制御を行う。
【００３７】
ＬＥＤ表示部１５は無線子局ＫＭの動作モード、および無線親局ＰＭからの受信結果のの表示に使用する。
【００３８】
スイッチ部１４は、動作モードの設定などに使用するスイッチにより構成される。
【００３９】
不揮発性メモリ装置１３は、無線装置の呼出名称、メーカーコードなど、無線通信に必要な情報を記憶する。ここで、呼出名称とは、個々の無線局に固有に与えられる数字によるコードであり、製造時に書き込まれる。本実施例では、これを無線接続用ＩＤとして使用する。メーカーコードは、製造メーカー等を識別するためのコードであり、製造時などに書き込まれる。
【００４０】
なお、無線子局ＫＭの機能を複写機ＣＰに内蔵して、無線親局ＰＭの制御部１１の機能を複写機ＣＰの制御部（図示略）で、無線親局ＰＭのＬＥＤ表示部１５の機能を複写機ＣＰの表示部（図示略）で、無線親局ＰＭの不揮発性メモリ装置１３の機能を複写機ＣＰの不揮発性メモリ（図示略）でまかなうことも可能である。
【００４１】
図６は、無線親局ＰＭが送出する無線接続要求のデータフォーマットの一例を示している。
【００４２】
同図において、ビット同期信号およびフレーム同期信号は、それぞれビット同期およびフレーム同期のために用いられる所定長で所定のビットパターンの信号であり、メーカーコードは、メーカーの識別のために付与されるコードであり、無線接続ＩＤは、当該通信システムを識別するためのものであり、識別番号は、それぞれの無線子局ＫＭを識別するためのものであり、パリティは、信号の正当性検査に用いられるものである。
【００４３】
以上の構成で、まず、無線子局ＫＭを複写装置ＣＰに接続し、スイッチ操作等により初期設定モードにする。
【００４４】
次に、無線親局ＰＭのスイッチ操作等により、無線接続要求を送信させる。
【００４５】
この無線接続要求を初期設定モード中の無線子局ＫＭが受信すると、その無線接続要求に含まれる複写装置ＣＰの識別番号を含む接続要求を複写装置ＣＰへ出力する。
【００４６】
無線子局ＫＭは、この要求に対する複写装置ＣＰからの応答があったときは、無線接続要求に含まれる無線接続用ＩＤを保存し、複写装置ＣＰからの応答を無線親局ＰＭへ返す。これにより、無線接続用ＩＤの設定が行われる。
【００４７】
一方、無線子局ＫＭは、複写装置ＣＰへの接続要求に対して、応答がなかったときは、そのときの無線接続要求を無効として、無線接続を切断する。
【００４８】
図７は、無線接続要求時の無線親局ＰＭの処理の一例を示している。
【００４９】
まず、識別番号の値を保存するＮの値を「１」に初期設定し（処理１０１）、識別番号Ｎ、無線接続用ＩＤを含む無線接続要求のデータを構成し（処理１０２）、処理１０２で構成した無線接続溶融データを送信する（処理１０３）。
【００５０】
ここで、Ｎの値が「５」に等しいかどうかを調べ（判断１０４）、判断１０４の結果がＮＯになるときには、Ｎの値を１つ増やし（処理１０５）、処理１０２へ戻り、再度無線接続要求を送信する。
【００５１】
また、判断１０４の結果がＹＥＳになるときには、このときの処理を終了する。
【００５２】
図８は、無線子局ＫＭの初期設定時の処理の一例を示している。
【００５３】
まず、無線親局ＰＭから無線接続要求の信号を受信したかどうかを調べ（判断２０１のＮＯループ）、無線親局ＰＭから無線接続要求を受信して判断２０１の結果がＹＥＳになると、受信した信号の内容を調べて、メーカーコードが一致するかどうかを判断する（判断２０２）。
【００５４】
判断２０２の結果がＹＥＳになるときには、受信した信号の内容に基づいて無線接続ＩＤおよび識別番号を取得し（処理２０３）、識別番号を含む接続要求を複写機ＣＰへ送出する（処理２０４）。
【００５５】
そして、所定時間を経過するまでの間に、複写機ＣＰより応答を受信することを監視する（判断２０５，２０６のＮＯループ）。所定時間を経過するまでの間に、複写機ＣＰより応答を受信した場合で、判断２０５の結果がＹＥＳになるときには、無線接続ＩＤを保存して（処理２０７）、初期設定動作を終了する。
【００５６】
また、所定時間を経過するまでの間に、複写機ＣＰより応答を受信しなかった場合で、判断２０６の結果がＹＥＳになるときには、判断２０１へ戻り、再度、初期設定動作を行う。
【００５７】
このようにして、本実施例では、特別なツール等を用いないで複写機ＣＰの設置の際に無線接続ＩＤを無線子局ＫＭに設定することができる。また、無線装置を用いて遠隔管理システムを構成するので、遠隔管理システムの運用上の障害を回避することができる。
【００５８】
なお、上述した実施例では、被遠隔管理装置として複写機を適用しているが、これ以外の適宜な装置について、本発明を同様にして適用することができる。また、本発明は、公衆回線を利用した遠隔診断装置に適用することができる。
【図面の簡単な説明】
【００５９】
【図１】本発明の一実施例にかかる遠隔管理システムの一例を示したブロック図。
【図２】本発明の一実施例にかかる遠隔管理システムの他の例を示したブロック図。
【図３】本発明の一実施例にかかる遠隔管理システムのさらに他の例を示したブロック図。
【図４】無線親機ＰＭの構成例を示したブロック図。
【図５】無線子機ＫＭの構成例を示したブロック図。
【図６】無線親局ＰＭが送出する無線接続要求のデータフォーマットの一例を示した概略図。
【図７】無線接続要求時の無線親局ＰＭの処理の一例を示したフローチャート。
【図８】無線子局ＫＭの初期設定時の処理の一例を示したフローチャート。
【符号の説明】
【００６０】
ＣＰ  複写機
ＫＭ  無線子局
ＰＭ  無線親局
ＣＭ  データ通信装置
ＳＭ  中央制御装置
ＰＳＴＮ  公衆回線網
【図１】
2006217132.tif 000003
【図２】
2006217132.tif 000004
【図３】
2006217132.tif 000005
【図４】
2006217132.tif 000006
【図５】
2006217132.tif 000007
【図６】
2006217132.tif 000008
【図７】
2006217132.tif 000009
【図８】
2006217132.tif 000010